(57)【特許請求の範囲】
【請求項１】
ちらつき除去可能なディスプレイパネルの駆動回路において、
走査駆動回路であって、複数の走査信号を生成し、該ディスプレイパネルの複数の画素構造を走査する、上記走査駆動回路と、
データ駆動回路であって、複数のデータ信号を生成し、これら画素構造が走査される時、これらデータ信号をこれら画素構造に伝送する、上記データ駆動回路と、
を包含し、該データ駆動回路がこれらデータ信号を隣り合うこれら画素構造に伝送して、これら画素構造に同じグレーレベルを表示させる時、該データ駆動回路は隣り合うこれら画素構造の該データ信号の準位を調整し、隣り合うこれら画素構造のこれらデータ信号の準位は同一方向に調整され、且つ調整量は同じで、
これら画素構造は共同電極を備え、該共同電極の共同電圧は固定電圧であり、
該データ駆動回路は、
補償信号を生成する補償回路と、
ガンマ電圧生成回路であって、該補償信号とガンマ曲線データに基づき複数のガンマ電圧を生成する、上記ガンマ電圧生成回路と、
複数のデジタルアナログ変換回路であって、複数の表示信号に基づき、これらガンマ電圧の一部のガンマ電圧を選択して出力することで、該ディスプレイパネルを駆動する、上記複数のデジタルアナログ変換回路と、
を包含し、該補償回路の該補償信号は、これらガンマ電圧の信号準位を調整し、これにより隣り合うこれら画素構造の該データ信号の準位を調整することを特徴とする、ちらつき除去可能なディスプレイパネルの駆動回路。
【請求項２】
請求項１記載のちらつき除去可能なディスプレイパネルの駆動回路において、隣り合うこれら画素構造が同じグレーレベルを表示するとき、該データ駆動回路は隣り合うこれら画素構造のこれらデータ信号の準位を調整し、隣り合うこれら画素構造の複数の保存電圧がこれら画素構造の該共同電圧に関して非対称から対称となるようにすることを特徴とする、ちらつき除去可能なディスプレイパネルの駆動回路。
【請求項３】
請求項１記載のちらつき除去可能なディスプレイパネルの駆動回路において、該データ駆動回路はさらに、
複数のバッファユニットであって、これらデジタルアナログ変換回路に対応しこれらデジタルアナログ変換回路が出力するこれらガンマ電圧に基づき、複数のデータ信号を生成して、該ディスプレイパネルを駆動する、上記複数のバッファユニットを包含することを特徴とする、ちらつき除去可能なディスプレイパネルの駆動回路。
【請求項４】
請求項１記載のちらつき除去可能なディスプレイパネルの駆動回路において、該ガンマ電圧生成回路は、
分圧回路であって、該補償信号に基づいて複数の分圧信号を生成し、該補償信号がこれら分圧信号の信号準位を調整するのに用いられることで、これらガンマ電圧の信号準位が調整される、上記分圧回路と、
ガンマ電圧選択ユニットであって、該分圧回路に接続され、並びに該ガンマ曲線データに基づいてこれら分圧信号の一部の分圧信号を選択してこれらガンマ電圧を生成する、上記ガンマ電圧選択ユニットと、
を包含することを特徴とする、ちらつき除去可能なディスプレイパネルの駆動回路。
【請求項５】
請求項１記載のちらつき除去可能なディスプレイパネルの駆動回路において、さらに、  入出力インタフェースであって、該ガンマ曲線データとこれら表示信号を受け取る、上記入出力インタフェースと、
ガンマ曲線データレジスタであって、該入出力インタフェースに接続され、該ガンマ曲線データを一時保存し該ガンマ曲線データを該ガンマ電圧生成回路に伝送する、上記ガンマ曲線データレジスタと、
を包含することを特徴とする、ちらつき除去可能なディスプレイパネルの駆動回路。
【請求項６】
請求項１記載のちらつき除去可能なディスプレイパネルの駆動回路において、該補償回路はさらに、
該補償信号を生成する補償ユニットと、
調整回路であって、電源電圧を受け取り、並びに該電源電圧を分圧して複数の調整信号を生成する、上記調整回路と、
切り換え回路であって、該調整回路に接続され、並びにこれら補償信号に基づき、これら調整信号を選択して第１参考電圧と第２参考電圧を生成し、並びに該第１参考電圧と該第２参考電圧を該ガンマ電圧生成回路の一つの分圧回路に伝送し、該分圧回路に、該第１参考電圧と該第２参考電圧に基づき、複数の分圧信号を生成させる、上記切り換え回路と、
を包含し、該ガンマ電圧生成回路はこれら分圧信号と該ガンマ曲線データに基づき、これらガンマ電圧を生成することを特徴とする、ちらつき除去可能なディスプレイパネルの駆動回路。
【請求項７】
請求項６記載のちらつき除去可能なディスプレイパネルの駆動回路において、該ガンマ電圧生成回路は、さらに、
第１増幅ユニットであって、該切り換え回路に接続され、並びに該第１参考電圧をバッファして該分圧回路に伝送する、上記第１増幅ユニットと、
第２増幅ユニットであって、該切り換え回路に接続され、並びに該第２参考電圧をバッファして該分圧回路に伝送する、上記第２増幅ユニットと、
を包含することを特徴とする、ちらつき除去可能なディスプレイパネルの駆動回路。
【請求項８】
ちらつき除去可能なディスプレイパネルの駆動回路において、
走査駆動回路であって、複数の走査信号を生成し、該ディスプレイパネルの複数の画素構造を走査する、上記走査駆動回路と、
データ駆動回路であって、複数のデータ信号を生成し、これら画素構造が走査される時、これらデータ信号をこれら画素構造に伝送する、上記データ駆動回路と、
を包含し、該データ駆動回路がこれらデータ信号を隣り合うこれら画素構造に伝送して、これら画素構造に同じグレーレベルを表示させる時、該データ駆動回路は隣り合うこれら画素構造の該データ信号の準位を調整し、隣り合うこれら画素構造のこれらデータ信号の準位は同一方向に調整され、且つ調整量は同じで、
これら画素構造は共同電極を備え、該共同電極の共同電圧は固定電圧であり、
該データ駆動回路は、
補償信号を生成する補償回路と、
演算回路であって、ガンマ曲線データと該補償信号を演算して演算信号を生成する、上記演算回路と、
ガンマ電圧生成回路であって、複数の分圧信号を生成し、並びに該演算信号に基づいてこれら分圧信号の一部分圧信号を選択して複数のガンマ電圧を生成する、上記ガンマ電圧生成回路と、
複数のデジタルアナログ変換回路であって、複数の表示信号に基づきこれらガンマ電圧の一部ガンマ電圧を選択して出力することで、これらデータ信号を生成し、該ディスプレイパネルを駆動する、上記複数のデジタルアナログ変換回路と、
を包含することを特徴とする、ちらつき除去可能なディスプレイパネルの駆動回路。
【請求項９】
請求項８記載のちらつき除去可能なディスプレイパネルの駆動回路において、該演算回路は該補償信号により該ガンマ曲線データを調整して該演算信号を生成することで、該ガンマ曲線データに置き換え、該ガンマ電圧生成回路は、
分圧回路であって、これら分圧信号を生成する上記分圧回路と、
ガンマ電圧選択ユニットであって、該分圧回路に接続され、並びに該演算信号に基づきこれら分圧信号の一部分圧信号を選択してこれらガンマ電圧を生成する、上記ガンマ電圧選択ユニットと、
を包含することを特徴とする、ちらつき除去可能なディスプレイパネルの駆動回路。
【請求項１０】
ちらつき除去可能なディスプレイパネルの駆動回路において、
走査駆動回路であって、複数の走査信号を生成し、該ディスプレイパネルの複数の画素構造を走査する、上記走査駆動回路と、
データ駆動回路であって、複数のデータ信号を生成し、これら画素構造が走査される時、これらデータ信号をこれら画素構造に伝送する、上記データ駆動回路と、
を包含し、該データ駆動回路がこれらデータ信号を隣り合うこれら画素構造に伝送して、これら画素構造に同じグレーレベルを表示させる時、該データ駆動回路は隣り合うこれら画素構造の該データ信号の準位を調整することで、該ディスプレイパネルに表示される画面のちらつきを減らし、
これら画素構造は共同電極を備え、該共同電極の共同電圧は固定電圧であり、
該データ駆動回路は、
補償信号を生成する補償回路と、
ガンマ電圧生成回路であって、該補償信号とガンマ曲線データに基づき複数のガンマ電圧を生成する、上記ガンマ電圧生成回路と、
複数のデジタルアナログ変換回路であって、複数の表示信号に基づき、これらガンマ電圧の一部のガンマ電圧を選択して出力することで、該ディスプレイパネルを駆動する、上記複数のデジタルアナログ変換回路と、
を包含し、該補償回路の該補償信号は、これらガンマ電圧の信号準位を調整し、これにより隣り合うこれら画素構造の該データ信号の準位を調整することを特徴とする、ちらつき除去可能なディスプレイパネルの駆動回路。
【請求項１１】
請求項１０記載のちらつき除去可能なディスプレイパネルの駆動回路において、隣り合うこれら画素構造が同じグレーレベルを表示するとき、該データ駆動回路は隣り合うこれら画素構造のこれらデータ信号の準位を調整し、隣り合うこれら画素構造の複数の保存電圧がこれら画素構造の該共同電圧に関して非対称から対称となるようにすることを特徴とする、ちらつき除去可能なディスプレイパネルの駆動回路。
【請求項１２】
ちらつき除去可能なディスプレイパネルの駆動回路において、
走査駆動回路であって、複数の走査信号を生成し、該ディスプレイパネルを走査する、上記走査駆動回路と、
データ駆動回路であって、複数のデータ信号を生成し、該ディスプレイパネルが走査される時、これらデータ信号を該ディスプレイパネルに伝送して、該ディスプレイパネルを駆動する、上記データ駆動回路と、
を包含し、該データ駆動回路がこれらデータ信号を該ディスプレイパネルに伝送して該ディスプレイパネルに同じグレーレベルを表示させるとき、該データ駆動回路はこれらデータ信号の準位を調整し、
これら画素構造は共同電極を備え、該共同電極の共同電圧は固定電圧であり、
該データ駆動回路は、
補償信号を生成する補償回路と、
ガンマ電圧生成回路であって、該補償信号とガンマ曲線データに基づき複数のガンマ電圧を生成する、上記ガンマ電圧生成回路と、
複数のデジタルアナログ変換回路であって、複数の表示信号に基づき、これらガンマ電圧の一部のガンマ電圧を選択して出力することで、該ディスプレイパネルを駆動する、上記複数のデジタルアナログ変換回路と、
を包含し、該補償回路の該補償信号は、これらガンマ電圧の信号準位を調整し、これにより隣り合うこれら画素構造の該データ信号の準位を調整することを特徴とする、ちらつき除去可能なディスプレイパネルの駆動回路。
【請求項１３】
請求項１２記載のちらつき除去可能なディスプレイパネルの駆動回路において、該データ駆動回路はこれらデータ信号を該ディスプレイパネルのこれら画素構造に伝送し、これら画素構造に同じグレーレベルを表示させるときに、該データ駆動回路がこれらデータ信号の準位を調整することを特徴とする、ちらつき除去可能なディスプレイパネルの駆動回路。
【請求項１４】
請求項１３記載のちらつき除去可能なディスプレイパネルの駆動回路において、隣り合うこれら画素構造に同じグレーレベルを表示させる時、該データ駆動回路はこれら画素構造のこれらデータ信号の準位を調整し、これら画素構造の複数の保存電圧を、これら画素構造の該共同電圧に関して非対称から対称となすことを特徴とする、ちらつき除去可能なディスプレイパネルの駆動回路。
【発明の詳細な説明】
【技術分野】
【０００１】
本発明は一種のディスプレイパネルの駆動回路に係り、特に、表示フレームの有するちらつきの現象を除去し、表示品質をアップできるディスプレイパネルの駆動回路に関する。
【背景技術】
【０００２】
現代の科学技術の勃興発展により、各種の情報商品が続々と出現し、民衆の異なる要求を満足させている。早期のディスプレイの大半は、ＣＲＴ（Ｃａｔｈｏｄｅ  Ｒａｙ  Ｔｕｂｅ）ディスプレイとされ、その体積は大きく消費電力も大きく、且つその発生する輻射線は、ディスプレイの長時間の使用者に、身体の危害を及ぼす恐れがある。このため、現在市場にあるディスプレイは、ＣＲＴディスプレイから次第に液晶ディスプレイ（Ｌｉｑｕｉｄ  Ｃｒｙｓｔａｌ  Ｄｉｓｐｌａｙ，ＬＣＤ）へと置き換えられている。液晶ディスプレイは、軽量薄型でコンパクトであり、輻射が少なく消費電力も少ない等の長所があり、このため、現在市場の主流となっている。
【０００３】
液晶ディスプレイはデータ信号に照らして液晶ユニットの光透過率を制御し、画像を表示する。図１に示されるのは、周知の技術のディスプレイパネル及びその画素構造の表示図である。図示されるように、ディスプレイパネルは、複数の画素構造１０'と一つの駆動チップ２０'を包含する。該駆動チップ２０'は駆動信号を生成してこれら画素構造１０'を駆動し、画像を表示する。
【０００４】
そのうち、各画素構造１０'は、薄膜トランジスタ（ｔｈｉｎ  ｆｉｌｍ  ｔｒａｎｓｉｓｔｏｒ，ＴＦＴ）１２'と保存コンデンサ１４'を包含する。該薄膜トランジスタ１２'のゲート（ｇａｔｅ）電極は走査線に接続され、並びに薄膜トランジスタ１２'のソース（ｓｏｕｒｃｅ）電極は、駆動チップ２０'に接続され、且つ薄膜トランジスタ１２'のドレイン（Ｄｒａｉｎ）電極は、保存コンデンサ１４'に接続される。
【０００５】
アクティブマトリックスタイプ液晶ディスプレイはアクティブコントロールスイッチ装置を採用し、これにより、このような液晶ディスプレイは動画表示において優勢を有し、薄膜トランジスタ１２'は、すなわち、アクティブマトリックスタイプ液晶ディスプレイのスイッチ装置とされる。
【０００６】
さらに、薄膜トランジスタ液晶ディスプレイパネルの運用は広範にわたり、その駆動方式は、ゲート端を用いて内部ユニットを制御してオンし、さらにソース端を用いて正確な電圧を送り込むことで、ディスプレイパネルの液晶回転方向を制御し、これにより画像を表示する。
【０００７】
図２及び図３を参照されたい。それは周知の技術のディスプレイパネルのこれら画素構造の表示図と、これら画素構造の駆動信号の波形図である。図示されるように、駆動チップ２０'は複数の走査信号Ｇ０、Ｇ１、・・・、Ｇｎを生成し得て、並びに順に、これら走査信号Ｇ０、Ｇ１、・・・、Ｇｎを、これら画素構造の複数の走査線Ｇａ１、Ｇａ２、・・・、Ｇａｎに送り、任意の一つの走査線がオンとされる（走査信号がＶＧＨに達する）時、複数のデータ線Ｓ０、Ｓ１、・・・Ｓｎが同時に、ディスプレイパネルの画素構造１０'に対して、画像データ対応電圧を印加し、画像表示を達成する。
【０００８】
これら画素構造１０'の薄膜トランジスタ１２'と保存コンデンサ１４'（図２に示されるＣｓ１、Ｃｓ２、Ｃｓ３及びＣｓ４）の間に寄生容量１６'が存在し、こうして、走査信号Ｇ０がオフとされる時に、下向きにシフト電圧Ｖｓｆｔ（約１Ｖ）に結合される。
【０００９】
ゆえに、駆動チップ２０'は、シフト電圧Ｖｓｆｔにより、参考電圧ＤＣを、これら画素構造の共同電極１８'に提供し、共同電圧となす。
【００１０】
走査信号Ｇ０がオフとされる時、保存コンデンサＣｓ１、Ｃｓ２の保存電圧は寄生容量１６'により、下向きに一つのシフト電圧Ｖｓｆｔに結合される時、保存コンデンサＣｓ１、Ｃｓ２上の保存電圧は、これら画素構造１０’が同じグレーレベルを表示する時、共同電極１８'の共同電圧に関して対称である。
【００１１】
しかし、個別パネル間の寄生容量１６'にはそれぞれ差異が存在するため、異なるパネルの保存コンデンサＣｓ１、Ｃｓ２の保存電圧は、寄生容量１６'により下向きに、一つのシフト電圧Ｖｓｆｔに結合された後、このシフト電圧Ｖｓｆｔは、異なるパネルに伴い、やや差異を有し、保存コンデンサＣｓ１、Ｃｓ２上の保存電圧を、これら画素構造１０’が同じグレーレベルを表示する時に、共同電極１８'の共同電圧に関して非対称にしやすく、ちらつきの現象が発生する。
【００１２】
このほか、走査信号Ｇ０が薄膜トランジスタを切り換える時（図３に示されるとおり）、画素構造の共同電極上の共同電圧準位に影響を与えて、それにより表示品質に影響が生じ得る。
【００１３】
これにより、いかに上述の問題に対して、新規の、ちらつき除去可能なディスプレイパネルの駆動回路を提供し、隣り合う画素構造の保存コンデンサ上の保存電圧が、隣り合う画素構造が同じグレーレベル表示時に、共同電極の共同電圧に関して非対称となりやすく、このためちらつきの現象を発生する問題を解決するかが、重要となる。
【発明の概要】
【発明が解決しようとする課題】
【００１４】
本発明の目的の一つは、一種のちらつき除去可能なディスプレイパネルの駆動回路を提供することにあり、それは、データ駆動回路により隣り合う複数の画素構造のデータ信号の準位を調整して、隣り合うこれら画素構造の保存電圧を、これら画素構造の共同電圧に関して対称となすことで、表示フレームに発生するちらつきの現象を除去するものとする。
【課題を解決するための手段】
【００１５】
本発明のちらつき除去可能なディスプレイパネルの駆動回路は、走査駆動回路とデータ駆動回路を包含する。走査駆動回路は複数の走査信号を生成し、ディスプレイパネルの複数の画素構造を走査し、データ駆動回路は複数のデータ信号を生成し、これら画素構造が走査される時、これらデータ信号をこれら画素構造に伝送する。
【００１６】
そのうち、該データ駆動回路がこれらデータ信号を隣り合うこれら画素構造に伝送する時、該データ駆動回路は隣り合うこれら画素構造のデータ信号の準位を調整し、隣り合うこれら画素構造の複数の保存電圧を、これら画素構造の共同電圧に関して対称となす。
【発明の効果】
【００１７】
こうして、本発明は、データ駆動回路により隣り合う複数の画素構造のデータ信号の準位を調整し、隣り合う画素構造のこれら保存電圧を、これら画素構造の共同電圧に関して対称となすことにより、表示フレームに発生するちらつきの現象を除去する。
【図面の簡単な説明】
【００１８】
【図１】周知の技術のディスプレイパネル及びその複数の画素構造の表示図である。
【図２】周知の技術のディスプレイパネルのこれら画素構造の表示図である。
【図３】周知の技術のこれら画素構造の駆動信号の波形図である。
【図４】本発明のディスプレイ装置の実施例の表示図である。
【図５】本発明の図４のディスプレイ装置のディスプレイパネルの画素構造の実施例の表示図である。
【図６Ａ】本発明の図４のディスプレイ装置のディスプレイパネル及びその画素構造の実施例の表示図である。
【図６Ｂ】本発明の図４のディスプレイ装置のディスプレイパネル及びその画素構造の別の実施例の表示図である。
【図６Ｃ】本発明の図４のディスプレイ装置のディスプレイパネル及びその画素構造のまた別の実施例の表示図である。
【図７Ａ】本発明の図６Ａの駆動回路がディスプレイパネルを駆動する実施例の波形図である。
【図７Ｂ】本発明の図６Ｂと図６Ｃの駆動回路がディスプレイパネルを駆動する実施例の波形図である。
【図８】本発明のデータ駆動回路の実施例の回路図である。
【図９】本発明のデータ駆動回路の別の実施例の回路図である。
【図１０】本発明のデータ駆動回路のまた一つの実施例の回路図である。
【発明を実施するための形態】
【００１９】
本発明の技術内容、構造特徴、達成する目的を詳細に説明するため、以下に実施例を挙げ並びに図面を組み合わせて説明する。
【００２０】
図４、図５及び図６Ａを参照されたい。それは本発明のディスプレイ装置とディスプレイパネル及びその複数の画素構造の実施例の表示図である。図示されるように、本発明のディスプレイ装置は、ディスプレイパネル１と駆動回路２を包含する。
【００２１】
ディスプレイパネル１は複数の画素構造１０を包含し、これら画素構造１０は、ディスプレイパネル１の走査線とデータ線の交差部分に位置する。図５に示されるように、これら画素構造１０は、第１画素構造Ｐ１、第２画素構造Ｐ２、第３画素構造Ｐ３、第４画素構造Ｐ４を包含する。第１画素構造Ｐ１、第２画素構造Ｐ２、第３画素構造Ｐ３、第４画素構造Ｐ４はマトリックス配列を呈し、すなわち、第１画素構造Ｐ１と第２画素構造Ｐ２は横向き配列され、並びに第１画素構造Ｐ１と第３画素構造Ｐ３は縦向き配列され、且つ第２画素構造Ｐ２と第４画素構造Ｐ４は縦向き配列され、第３画素構造Ｐ３と第４画素構造Ｐ４は横向き配列される。
【００２２】
第１画素構造Ｐ１と第２画素構造Ｐ２は第１走査線Ｇ０の制御を受け、第３画素構造Ｐ３と第４画素構造Ｐ４は第２走査線Ｇ１の制御を受け、並びに、第１画素構造Ｐ１と第３画素構造Ｐ３は、第１データ線Ｓ０に接続され、第２画素構造Ｐ２と第４画素構造Ｐ４は第２データ線Ｓ１に接続される。そのうち、各画素構造１０は、トランジスタ１２と保存コンデンサ１４を包含する。
【００２３】
トランジスタ１２は、ゲート電極、ソース電極及びドレイン電極を具えている。トランジスタ１２はスイッチとされ、並びにトランジスタ１２のゲート電極はディスプレイパネル１の走査線に接続されて、走査線に制御されて、トランジスタ１２のオンとオフが制御される。
【００２４】
トランジスタ１２のソース電極はディスプレイパネル１のデータ線に接続され、これにより、トランジスタ１２のオンにより、データ信号を受け取る。トランジスタ１２のドレイン電極は、保存コンデンサ１４の一端に接続され、該保存コンデンサ１４の他端（すなわち、共同電極ＣＯＭ）は共同電圧ＶＣＯＭを受け取る。そのうち、保存コンデンサ１４は液晶コンデンサとされる。
【００２５】
さらに、本発明のディスプレイパネルの駆動回路２は走査駆動回路２０とデータ駆動回路３０を包含する。走査駆動回路２０は複数の走査信号を生成してディスプレイパネル１のこれら画素構造１０を走査し、データ駆動回路３０は複数のデータ信号を生成し、並びにこれら走査信号に対応してこれらデータ信号をこれら画素構造１０に伝送する。すなわち、これら画素構造１０が走査される時、これらデータ信号をこれら画素構造１０に伝送する。
【００２６】
そのうち、該データ駆動回路３０がこれらデータ信号を隣り合うこれら画素構造１０に伝送する時、該データ駆動回路３０は隣り合うこれら画素構造１０のデータ信号の準位を調整し、隣り合うこれら画素構造１０のこれら保存コンデンサ１４の保存電圧を、これら画素構造１０の共同電圧ＶＣＯＭに関して対称となす。
【００２７】
図５と図７Ａを例に挙げると、走査駆動回路２０が走査信号を生成し並びに第１走査線Ｇ０に伝送するとき、第１画素構造Ｐ１と隣り合う第２画素構造Ｐ２がオンとされる。このとき、データ駆動回路３０は、データ信号を生成して第１画素構造Ｐ１と隣り合う第２画素構造Ｐ２に伝送する。
【００２８】
そのうち、データ駆動回路３０が第１画素構造Ｐ１と隣り合う第２画素構造Ｐ２にそれぞれ伝送するこれらデータ信号の極性は相反し、ゆえに、第１画素構造Ｐ１と隣り合う第２画素構造Ｐ２が同じグレーレベルを表示するとき、データ駆動回路３０が、第１画素構造Ｐ１と隣り合う第２画素構造Ｐ２にそれぞれ伝送するこれらデータ信号の準位を調整し、第１画素構造Ｐ１の保存コンデンサ１４上の保存電圧と、第２画素構造Ｐ２の保存コンデンサ１４上の保存電圧を、これら画素構造１０の共同電極の共同電圧ＶＣＯＭに関して対称とし、こうして、本発明は表示フレームに発生するちらつきの現象を除去できる。
【００２９】
このほか、本発明の駆動回路２は、さらに共同電極電源回路６０を包含する。該共同電極電源回路６０は、これら画素構造１０の共同電極ＣＯＭに接続されて、共同電圧ＶＣＯＭを、これら画素構造１０の共同電極ＣＯＭに提供する。
【００３０】
図６Ｂ及び図７Ｂを併せて参照されたい。それは本発明の図４のディスプレイ装置のディスプレイパネル及びその画素構造のもう一つの実施例の表示図と、駆動回路のディスプレイパネル駆動の波形図である。
【００３１】
図示されるように、本実施例の、先の実施例との違いは、本実施例のこれら画素構造１０の共同電極ＣＯＭは、接地端に接続され、データ駆動回路３０がこれらデータ信号を、隣り合うこれら画素構造１０に伝送するとき、データ駆動回路３０が隣り合うこれら画素構造１０のデータ信号の準位を調整する。
【００３２】
すなわち、図５と図７Ｂを例とすると、走査駆動回路２０が走査信号を第１走査線Ｇ０に伝送するとき、データ駆動回路３０はそれぞれこれらデータ信号を、第１画素構造Ｐ１と隣り合う第２画素構造Ｐ２に伝送し、第１走査線Ｇ０の走査信号が高準位とされ、並びに第１画素構造Ｐ１と隣り合う第２画素構造Ｐ２が、同じグレーレベルを表示する時、データ駆動回路３０が第１画素構造Ｐ１と隣り合う第２画素構造Ｐ２に伝送するこれらデータ信号の準位を調整し、すなわち、第１画素構造Ｐ１のデータ信号と第２画素構造Ｐ２のデータ信号は、接地端の電圧に関して非対称で、並びに第１走査線Ｇ０の走査信号が低準位の時、第１画素構造Ｐ１と隣り合う第２画素構造Ｐ２のこれら保存電圧が、画素構造の寄生容量効果により下降した後、共同電圧ＶＣＯＭ（本実施例中の共同電圧ＶＣＯＭは接地端の電圧とされる）に関して対称となる。
【００３３】
図６Ｃを参照されたい。それは本発明の図４のディスプレイ装置のディスプレイパネル及びその画素構造のまた別の実施例の表示図である。図示されるように、本実施例のこれら画素構造１０の共同電極ＣＯＭは直接には接地端に接続されず、駆動回路を介して接地端に接続され、すなわち、ディスプレイパネル１のこれら画素構造１０の共同電極ＣＯＭが駆動回路２上の任意の接地端に接続されることで、共同電極ＣＯＭ上の共同電圧ＶＣＯＭがゼロとされる。
【００３４】
図８を併せて参照されたい。それは本発明のデータ駆動回路の実施例の回路図である。図示されるように、本発明のディスプレイ装置のデータ駆動回路３０は、補償回路３２、ガンマ電圧生成回路３４、複数のデジタルアナログ変換回路３６（Ｄｉｇｉｔａｌ  ｔｏ  Ａｎａｌｏｇ  Ｃｏｎｖｅｒｔｅｒ，ＤＡＣ）及び複数のバッファユニット３８を包含する。
【００３５】
補償回路３２は補償信号を生成する。ガンマ電圧生成回路３４は該補償信号とガンマ曲線データに基づき複数のガンマ電圧を生成し、すなわち、補償回路３２の生成する補償信号は、ガンマ電圧生成回路３４が出力するこれらガンマ電圧の信号準位を調整するのに用いられる。
【００３６】
これらデジタルアナログ変換回路３６は複数の表示信号に基づきこれらガンマ電圧の一部ガンマ電圧を選択して出力し、すなわち、これらデジタルアナログ変換回路３６は、それぞれ表示信号を受け取った後、表示信号によりそれぞれこれらガンマ電圧のそのうちの一つを選択し、並びに選択したガンマ電圧を出力する。
【００３７】
たとえば、ガンマ電圧生成回路３４が６４個のガンマ電圧を生成してこれらデジタルアナログ変換回路３６に送ると、第１個のデジタルアナログ変換回路３６が受け取る表示信号が１５である時、第１個のデジタルアナログ変換回路３６は第１５個のガンマ電圧を選択して出力する。第５個のデジタルアナログ変換回路３６が受け取る表示信号が５５である時、第５個のデジタルアナログ変換回路３６は第５５個のガンマ電圧を選択して出力する。
【００３８】
これらバッファユニット３８は、これらデジタルアナログ変換回路３６に対応し、これらデジタルアナログ変換回路３６が出力するこれらガンマ電圧に基づき、複数のデータ信号を生成して、ディスプレイパネル１を駆動する。
【００３９】
すなわち、これらバッファユニット３８はそれぞれこれらデジタルアナログ変換回路３６に接続されて、これらデジタルアナログ変換回路３６が出力するこれらガンマ電圧をバッファして、これらデータ信号を生成し並びに出力してディスプレイパネル１を駆動するのに用いられる。
【００４０】
こうして、本発明は、補償回路３２が生成する補償信号が、ガンマ電圧生成回路３４が出力するこれらガンマ電圧の信号準位の調整に用いられることにより、データ信号の準位を調整してちらつきの現象を除去する。
【００４１】
並びに、補償回路３２が発生する補償信号は、走査信号がオフとされる時、即ち、保存コンデンサ１４の保存電圧が寄生容量により下向きに一つのシフト電圧Ｖｓｆｔと結合（図７Ａと図７Ｂに示されるとおり）されるとき、隣り合うこれら画素構造の保存コンデンサ１４上の保存電圧が、隣り合う画素構造が同じグレーレベルを表示する時、すなわち、共同電極ＣＯＭの共同電圧ＶＣＯＭに関して対称となり、これにより、ちらつきの現象を除去する。
【００４２】
たとえば、補償信号の大きさはシフト電圧Ｖｓｆｔとされ、これらガンマ電圧の信号準位に対して、上向きに一つのシフト電圧Ｖｓｆｔの大きさ、或いは下向きに一つのシフト電圧Ｖｓｆｔの大きさが調整されることで、走査信号がオフされる時に、保存コンデンサ１４の保存電圧に、寄生容量により、下向きに一つのシフト電圧Ｖｓｆｔが結合される時、隣り合うこれら画素構造の保存コンデンサ１４上の保存電圧は、隣り合うこれら画素構造が同じグレーレベルを表示するとき、共同電極ＣＯＭの共同電圧ＶＣＯＭに関して対称となり、これにより、ちらつきの現象を除去する。
【００４３】
こうして、本発明は、データ駆動回路３０により隣り合う複数の画素構造のデータ信号の準位を調整し、隣り合うこれら画素構造の保存電圧が、これら画素構造の共同電圧に関して対称となるようにし、表示フレームに発生するちらつきの現象を除去することができる。
【００４４】
再び図８を参照されたい。本発明のガンマ電圧生成回路３４は、分圧回路３４０とガンマ電圧選択ユニット３４２を包含する。分圧回路３４０は電源電圧ＧＶDDを受け取り、並びに補償信号に基づき複数の分圧信号を生成する。ガンマ電圧選択ユニット３４２は分圧回路３４０に接続され、並びにガンマ曲線データに基づき、これら分圧信号の一部分圧信号を選択し、これらガンマ電圧を生成する。
【００４５】
このほか、本発明のディスプレイパネル１のデータ駆動回路３０は、さらに入出力インタフェース４０、ガンマ曲線データレジスタ４２、表示メモリ４４、シフトレジスタ４６及びバッファ回路４８を包含する。
【００４６】
該入出力インタフェース４０はガンマ曲線データと表示信号を受け取る。ガンマ曲線データレジスタ４２は入出力インタフェース４０に接続され、並びにガンマ曲線データを暫時保存し、ガンマ曲線データをガンマ電圧生成回路３４に伝送する。表示メモリ４４は入出力インタフェース４０に接続され、並びに表示信号を保存し、シフトレジスタ４６は表示メモリ４４に接続され、並びに表示信号を受け取り且つシフトし、バッファ回路４８はシフトレジスタ４６に接続され、並びに表示信号をバッファしてこれらデジタルアナログ変換回路３６に伝送する。
【００４７】
図９を参照されたい。それは本発明のディスプレイパネルの、データ駆動回路の別の実施例の回路図である。図示されるように、この実施例の、図８に示される実施例との違いは、本実施例の補償回路３２は、補償ユニット３２０、調整回路３２２、切り換え回路３２４を包含することにある。
【００４８】
補償ユニット３２０は、補償信号を生成するのに用いられ、調整回路３２２は電源電圧ＧＶDDを受け取り、並びに電源電圧ＧＶDDを分圧して複数の調整信号を生成し、切り換え回路３２４は調整回路３２２に接続され、並びに補償信号に基づき、これら調整信号を選択し、第１参考電圧と第２参考電圧を生成し、並びに該第１参考電圧と該第２参考電圧を、ガンマ電圧生成回路３４に伝送する。
【００４９】
こうして、本実施例は、補償ユニット３２０が生成した補償信号を利用し、切り換え回路３２４を介して調整回路３２２が生成したこれら調整信号を選択し、第１参考信号と第２参考信号を生成し、これらガンマ電圧の信号準位を調整し、これにより、データ駆動回路３０が出力する駆動信号の信号準位を調整する。
【００５０】
こうして、本実施例は、データ駆動回路３０により隣り合うこれら画素構造１０のデータ信号の準位を調整して、隣り合うこれら画素構造１０の保存電圧を、これら画素構造１０の共同電圧に関して対称とし、表示フレームに発生するちらつきの現象を除去する。
【００５１】
このほか、本実施例の補償回路３２はさらに、第１増幅ユニット３２６と第２増幅ユニット３２８を包含する。第１増幅ユニット３２６は切り換え回路３２４に接続され、並びに第１参考電圧をバッファして分圧回路３４０に伝送し、第２増幅ユニット３２８は切り換え回路３２４に接続され、並びに第２参考電圧をバッファし分圧回路３４０に伝送し、分圧回路３４０はさらに第１参考電圧と第２参考電圧の電圧差を分圧してこれら分圧信号を生成する。
【００５２】
図１０を参照されたい。それは本発明のディスプレイパネルのデータ駆動回路のまた一つの実施例の回路図である。図示されるように、本実施例の、図８と図９の実施例との異なるところは、本実施例のデータ駆動回路３０は、さらに演算回路５０を包含することにある。
【００５３】
演算回路５０はガンマ曲線データレジスタ４２に接続され、並びにガンマ曲線データと補償信号を演算して演算信号を生成し、並びに演算信号をガンマ電圧生成回路３４に伝送し、これらガンマ電圧を生成し、すなわち、補償回路３２はこれら画素構造１０の保存コンデンサ１４の保存電圧に基づき、トランジスタ１２の寄生容量により、下向きに一つのシフト電圧の大きさに結合されて、補償信号を生成する。
【００５４】
こうして、演算回路５０は、まず補償信号を、ガンマ曲線データ内に加入し、走査信号がオフされる時に、保存コンデンサ１４の保存電圧が寄生容量により下向きに一つのシフト電圧に結合される時、隣り合うこれら画素構造１０の保存コンデンサ１４上の保存電圧を、隣り合うこれら画素構造１０が同じグレーレベルを表示する時に、共同電極の共同電圧ＶＣＯＭに関して対称とし、これにより、ちらつきの現象を除去する。
【００５５】
以上を総合すると、本発明のちらつき除去可能なディスプレイパネルの駆動回路は、走査駆動回路とデータ駆動回路を包含する。走査駆動回路は複数の走査信号を生成し、ディスプレイパネルの複数の画素構造を走査し、データ駆動回路は複数のデータ信号を生成し、これら画素構造が走査される時、これらデータ信号をこれら画素構造に伝送する。該データ駆動回路がこれらデータ信号を隣り合うこれら画素構造に伝送する時、該データ駆動回路は隣り合うこれら画素構造のデータ信号の準位を調整し、隣り合うこれら画素構造の保存電圧を、これら画素構造の共同電圧に関して対称となす。
【００５６】
こうして、本発明は、データ駆動回路により隣り合う複数の画素構造のデータ信号の準位を調整し、隣り合うこれら画素構造の保存電圧を、これら画素構造の共同電圧に関して対称に調整することにより、表示フレームに発生するちらつきの現象を除去する。
【００５７】
本発明は新規性、進歩性、及び産業上の利用価値を有し、特許の要件に符合し、ここに特許出願をする次第です。
【００５８】
なお、以上述べたことは、本発明の実施例にすぎず、本発明の実施の範囲を限定するものではなく、本発明の特許請求の範囲に基づきなし得る同等の変化と修飾は、いずれも本発明の権利のカバーする範囲内に属するものとする。
【符号の説明】
【００５９】
周知技術：
１０'  画素構造
１２'  薄膜トランジスタ
１４'  保存コンデンサ
１６'  寄生容量
１８'  共同電極
２０'  駆動チップ
本発明：
１  ディスプレイパネル
１０  画素構造
１２  トランジスタ
１４  保存コンデンサ
２  駆動回路
２０  走査駆動回路
３０  データ駆動回路
３２  補償回路
３２０  補償ユニット
３２２  調整回路
３２４  切り換え回路
３２６  第１増幅ユニット
３２８  第２増幅ユニット
３４  ガンマ電圧生成回路
３４０  分圧回路
３４２  ガンマ電圧選択ユニット
３６  デジタルアナログ変換回路
３８  バッファユニット
４０  入出力インタフェース
４２  ガンマ曲線データレジスタ
４４  表示メモリ
４６  シフトレジスタ
４８  バッファ回路
５０  演算回路
【図１】
0006486749.tif 000002
【図２】
0006486749.tif 000003
【図３】
0006486749.tif 000004
【図４】
0006486749.tif 000005
【図５】
0006486749.tif 000006
【図６Ａ】
0006486749.tif 000007
【図６Ｂ】
0006486749.tif 000008
【図６Ｃ】
0006486749.tif 000009
【図７Ａ】
0006486749.tif 000010
【図７Ｂ】
0006486749.tif 000011
【図８】
0006486749.tif 000012
【図９】
0006486749.tif 000013
【図１０】
0006486749.tif 000014